(57)【要約】      （修正有）【課題】スマホとタグとを協働させ旅行かばんを探索するシステムを提供する。【解決手段】旅行かばん探索システムは、スマートフォンと、アプリケーションプログラムが実現するアプリ機能部と、旅行かばんに取り付けるタグとからなる。スマートフォンは、表示装置と、入力装置と、二つの通信装置とを有する。アプリ機能部は、接続確認装置と、置き引き防止装置とを有する。タグは、スマートフォンの二つの通信装置とそれぞれやり取りする二つの通信部と、発光部と、制御部と、電源部とを有する。制御部は、接続確立モードと、スリープモードと、ウェイクアップモードとをそれぞれ制御する。ウェイクアップモードでは、二つの電波の強さに応じた点滅間隔で発光部を発光させる。発光部には、導光板を設ける。導光板は、アクリル板にフィルムを貼ったものであり、タグ所有者の識別標識として機能する。タグの電源スイッチは施錠する。【選択図】図１
2020086604.tif 000002
【特許請求の範囲】
【請求項１】
旅行者が携帯するスマートフォンと、当該スマートフォンのアプリケーションプログラムが前記スマートフォンにインストールされて実行可能な状態において実現するアプリ機能部と、旅行かばんに取り付けるタグとからなる旅行かばん探索システムであって、
前記スマートフォンは、
前記アプリ機能部が処理する処理内容を表示する表示装置と、
前記アプリ機能部が、操作者に対して選択を求め、又は入力を求める際に、それに答えて操作者が入力することを実現する入力装置と、
前記タグとの間で１対１の通信を実現する第一の通信装置と、
前記タグとの間で、前記第一の通信装置に比べて短い距離における１対１の通信を実現する第二の通信装置と、
前記アプリ機能部の機能にしたがって、アラーム音又は振動を発する出力装置と
を有し、
前記アプリ機能部は、
前記タグとの間で前記第一の通信装置による１対１の無線通信の接続を確認する第一の接続確認装置と、
前記タグとの間で前記第二の通信装置による１対１の無線通信の接続を確認する第二の接続確認装置と、
前記第二の接続確認装置により、前記タグとの間でやりとりする電波の強さを監視して、所定の強さより弱くなったら警報を発する置き引き防止装置と、
を有し、
前記タグは、
前記スマートフォンの前記第一の通信装置との間で１対１の無線通信を実現する第一の通信部と、
前記スマートフォンの前記第二の通信装置との間で１対１の無線通信を実現する第二の通信部と、
光を発する発光部と、
前記発光部が発光する光を導き、所定のパターンを光らせる導光板又は光る繊維と、
前記通信部及び発光部を制御する制御部と、
各部に電力を供給する電源部と
を有し、
前記制御部は、
前記スマートフォンの第一の通信装置と前記タグの第一の通信部との間で１対１の無線通信を実現し、前記スマートフォンの第二の通信装置と前記タグの第二の通信部との間で１対１の無線通信を実現する通信確立モードと、
前記第一の通信部と、前記第二の通信部との双方ともがやり取りしなくなった際に、前記第一の通信部のみ、まばらな時間間隔で電波を出し続けるスリープモードと、
前記タグの前記第一の通信部が前記スマートフォンの前記第一の通信装置との通信を再開し始める際に、当該電波の強さにしたがって調整した頻度で前記発光部を光らせるとともに、前記タグの前記第二の通信部からの電波を出し始め、前記タグの前記第二の通信部が前記スマートフォンの前記第二の通信装置との通信を再開し始める際に、その電波の強さに従って調整した頻度で前記発光部を光らせるウェイクアップモードと
をそれぞれ制御することを特徴とする旅行かばん探索システム。
【請求項２】
前記タグの前記導光板は、アクリル板の表面に特定の模様の形状にカッティングされたフィルムを貼ったものであることを特徴とする請求項１に記載の旅行かばん探索システム。
【請求項３】
前記フィルムをカッティングする特定の模様は、前記タグの所有者を識別する標識として機能するものであることを特徴とする請求項２に記載の旅行かばん探索システム。
【請求項４】
前記フィルムは、光を導く塗料を所定のパターンにより塗ったものであることを特徴とする請求項２又は請求項３に記載する旅行かばん探索システム。
【請求項５】
前記タグの前記導光板は、
アクリル板の表面と裏面の両面にそれぞれ前記フィルムを貼ったものであって、表面と裏面とをそれぞれ広告と所有者の識別標識とを表示するものであることを特徴とする請求項２から請求項４までのいずれか１項に記載した旅行かばん探索システム。
【請求項６】
前記タグの電源部に電源をオン、オフするためのスイッチは、施錠され、前記旅行者以外の第三者は、容易には前記タグの電源を操作できないことを特徴とする請求項１から請求項５までのいずれか１項に記載した旅行かばん探索システム。
【請求項７】
旅行者が携帯するスマートフォンと、当該スマートフォンのアプリケーションプログラムが前記スマートフォンにインストールされて実行可能な状態において実現するアプリ機能部と、旅行かばんに取り付けるタグとからなる旅行かばん探索システムであって、
前記スマートフォンは、
前記アプリ機能部が処理する処理内容を表示する表示装置と、
前記アプリ機能部が、操作者に対して選択を求め、又は入力を求める際に、それに答えて操作者が入力することを実現する入力装置と、
前記タグとの間で１対１の通信を実現する通信装置と、
前記アプリ機能部の機能にしたがって、アラーム音又は振動を発する出力装置と
を有し、
前記アプリ機能部は、
前記タグとの間で前記通信装置による１対１の無線通信の接続を確認する接続確認装置と、
前記接続確認装置により、前記タグとの間でやりとりする電波の強さを監視して、所定の強さより弱くなったら警報を発する置き引き防止装置と、
を有し、
前記タグは、
前記スマートフォンの前記通信装置との間で１対１の無線通信を実現する通信部と、
光を発する発光部と、
前記発光部が発光する光を導き、所定のパターンを光らせる導光板又は光る繊維と、
前記通信部及び発光部を制御する制御部と、
各部に電力を供給する電源部と
を有し、
前記制御部は、
前記スマートフォンの通信装置と前記タグの通信部との間で１対１の無線通信を実現する通信確立モードと、
前記通信部がやり取りしなくなった際に、まばらな時間間隔で電波を出し続けるスリープモードと、
前記タグの前記通信部が前記スマートフォンの前記通信装置との通信を再開し始める際に、当該電波の強さにしたがって調整した頻度で前記発光部を光らせるウェイクアップモードと
をそれぞれ制御し、前記通信確立モードから前記スリープモードへの移行のための通信断絶の判断は、前記スマホからの情報や指示を受けることなく、前記タグの前記制御部が判断するものであることを特徴とする旅行かばん探索システム。
【発明の詳細な説明】
【技術分野】
【０００１】
本発明は、旅行者が自分の所有する旅行かばんを探索するために旅行かばんにタグを取り付けて探索する旅行かばん探索システム及びそれに用いるタグに関する。とりわけ旅行者が自分が所有するスマホと協働して機能させる当該システムに関する。
【背景技術】
【０００２】
旅行者が旅行かばんを持って旅行する際に、航空会社、バス会社、船会社などのサービス内容にしたがって、当該旅行かばんを預ける。そして、目的地に着いた際に、受け取る。
このように旅行においては、旅行者から旅行かばんが、離脱する時間と、手元に復帰する時間とがある。
【０００３】
特許文献１には、GNSS衛星より送信される信号により、廉価で効率的に方位情報を得る技術が開示されている。具体的には、体躯を用いて上空半天球の片側に存在するGNSS衛星からの衛星信号の遮蔽を行うと同時に、体躯に沿い大地に垂直に設置されたGNSS受信機に他方の片側に存在するGNSS衛星の衛星信号の探索を行わせつつ、捕捉した衛星信号を用いて方位を限定的に得る過程において、遮蔽物としての体躯の両脇からの波については、一定時間のGNSS受信機による信号強度採取の後には、GNSS受信機と体躯との関係性を維持したまま、体軸周り回転等によって、反対の方位等に向き直りを行った後の方位において、一定時間のGNSS受信機による信号強度採取を同様に実施し、それらの各採取された信号強度等の記録の対照に基づき、受信したGNSS衛星が上空四分の一天球領域のいずれの領域に存在したか、判定することで、方位情報を得る。
【０００４】
特許文献２には、物理媒体を中心とした情報システムや情報ネットワークを構築し、また、物理媒体の物品性や物体性を利用した有益な情報提供サービスを構築する技術が開示されている。具体的には、情報提供システムは、特定の場所に属する特定の物体に一意のローカルＩＤを付設し、その物体に固有の主情報をローカルＩＤに関連付けてデータベースに格納する。また、特定の物体と関連する情報である従情報を、その特定の物体に係る主情報にリンク付けしてデータベースに格納する。情報閲覧者端末のＩＤ読取手段により特定の物体のローカルＩＤを読み取ったときに、その特定の物体の主情報を情報閲覧者端末に閲覧／聴取可能な態様で出力すると共に、その主情報に関連付けた従情報と、その主情報に対する情報閲覧者端末からのアクセスに関するアクセス履歴情報とを、その主情報に関連付けて閲覧／聴取可能な態様で出力する。
【０００５】
特許文献３には、盗人がキーを手に入れ産業車両を盗もうとしてしても、容易にエンジンが掛からないような盗難防止装置が開示されている。具体的には、正規の乗務員が携帯する無電源のＩＣカード又はＩＤタグと、車両の電源と、ＩＣカード又はＩＤタグを載置又は挿入して接する接点を備えたタイマー付き電力供給部を車室内に設けた受け部と、電源と接続しＩＣカード又はＩＤタグと交信する車室外に設けた固定局と、スターターモータのマイナス側接地線に設け固定局と接続した第１断続制御部と、固定局と電源との間でタイマー兼電力供給部に接続する第２断続制御部とで構成した。
【０００６】
特許文献４には、セキュリティー上の不安を感じることなく宅配業者に連絡を入れることができる宅配支援システムを提供すること、及びそのような宅配支援システムの利用によって、荷物の配送予定時間帯において、荷受人が短時間の外出を行えるようにし、また、少々の遅れならば急ぐことなく帰宅できるようにすることが開示されている。具体的には、荷受人端末装置から荷受人が短時間不在情報を入力し、短時間不在情報と個人識別情報が業者端末装置に送信され、配送予定荷物の有無を検索し、配送予定荷物が有る場合には、配送予定荷物の配送担当者が保有する配送担当者端末装置に荷物関連情報及び短時間不在情報を送信し、配送担当者に荷受人が配送予定荷物を受け取れない時間帯を報知し、配送予定荷物が無い場合には、荷受人端末装置に無荷物情報を送信し、荷受人に配送予定荷物が無いことを報知する宅配支援システムである。
【０００７】
特許文献５には、荷物追跡装置、方法及びシステムが開示されている。具体的には、荷物追跡装置は、ネットワークから受信された位置情報及び荷物物品の少なくとも一つ以上のロックからの状態情報を含む情報を採集するための追跡装置を含む。荷物追跡装置は、荷物物品内に集積するように配置可能である。荷物物件を安全にするためのロック装置を更に提供する。ロック装置は、第1のロック状態と第2のアンロック状態との間で移動可能なロック素子を有する。荷物追跡装置は、前記ロック素子の移動を制御するように操作可能な第1のロック部材を含む。荷物追跡装置は、前記第1のロック部材の操作を検出するための、前記第1のロック部材と関連付けられている第1のセンサを更に含む。
【０００８】
特許文献６には、理性的な設計、適応型ハードウェアとソフトウェアを組み合わせ、法制度の適応、ユーザーが出力試合で必要とする、適応能力を開発する装置が開示されている。具体的には、別名、原料の方法としても知られている、ユーザが擁する様々なタイプの出力の多様なグループの物理的で、物理的な非氏によると、この出力されるように、特許申請アナライザを選ぶための戦略は、適応、システムのインタラクティブ機能を構成する技術システムを作成するためには、大多数の機能を有する材料システム技術などの受信情報入力、そうできるシステムの技術はよりよい出力するシステムの技術を、整理、適応、インタラクティブ機能は、反応にユーザーが必要とするのは、出力機能、インタラクティブなＳＷＥＥＴＳＰＯＴである。
【０００９】
特許文献７には、検索対象物が大量にあったり、検索対象物の外見が類似していたり、検索対象者や検索対象物の入れ替わりが多い場合であっても、識別情報と検索対象物との組み合わせの数を無用に増加させることなく、検索対象物を効率的に検索することができる検索支援システムが開示されている。具体的には、動的情報記憶部の内容を更新しつつ、端末装置及び検索対象が位置する検索エリアのマーク使用状況に基づいて使用可能なマークを検索対象に割り当て、該検索対象に対応付けられたラベル装置及び該検索対象を検索要求した端末装置に対してマークを設定する。
【００１０】
特許文献８には、痴呆症・徘徊者を早期に精度良く検出できる小型で経済的な装置の提供と、この装置の他分野での利用方法の拡大を図ることが開示されている。無線式の子機と親機で構成され、電波を送受信する通信手段と、電源を供給する電源手段と、通信信号と記憶データと音声出力信号を処理する信号処理手段と、発報音声や通信コード番号や通信距離等のデータを記憶する記憶手段と、前記信号処理手段からの指示で音声を出力する音声出力手段と、親機には前記記憶手段の記憶データの設定変更や設定指定ができる設定手段とを設けた徘徊者検出および落し物防止等の音声通報装置である。
【００１１】
特許文献９には、通信ネットワーク（１１０）のユーザーに関連した、１つまたは複数の通信装置を管理するシステム、方法が開示されている。具体的には、第１装置と第２装置との間のワイヤレス通信に関する指標を受信する能力を有する。この指標は、第１装置が第２装置の近辺（または、範囲）に入った、またはそこから出たことを示してもよい。付加的に、これはブルートゥースプロトコル、IEEE802.11(b)プロトコル、及び（または）IEEE802.11(g) プロトコルを使用して達成されてもよい。例えば、第１装置が第２装置の近辺に入ったとき、ユーザーへの呼出しは自動的に、第２装置の付近に配置されているユーザーの電話に転送されてもよい。同様に、１つの実施例において、第１装置が第２装置の近辺から出たとき、呼出しは自動的に、第１装置に転送されてもよい。
【００１２】
特許文献１０には、携帯デバイスを利用して実行することが可能なコンテンツ提供方法であって、前記携帯デバイスは、外部リモコンに対する近距離接続を設定するように構成される第１通信部と、外部ディスプレイ装置に対する接続を設定するように構成される第２通信部とを有し、前記外部リモコンは前記外部ディスプレイ装置を制御するように構成され、前記コンテンツ提供方法は：
前記携帯デバイスのディスプレイでコンテンツを表示する段階；
前記第１通信部により、前記外部リモコンから、前記外部ディスプレイ装置に関連する情報を受信する段階；
前記外部リモコンから受信される情報に基づいて、前記第２通信部により、前記外部ディスプレイ装置に対する接続を設定する段階；及び
前記携帯デバイスのディスプレイに表示されるコンテンツを前記外部ディスプレイ装置へ提供する段階であって、前記外部ディスプレイ装置に対して、前記第２通信部により接続が設定されている、段階；
を有するコンテンツ提供方法が開示されている。
【先行技術文献】
【特許文献】
【００１３】
【特許文献１】特開２０１７−１２２７１３号公報
【特許文献２】特開２０１８−０２６１３３号公報
【特許文献３】特許第４５７３２０３号公報
【特許文献４】特許第５８９５０９０号公報
【特許文献５】特表２０１７−５３２６９１号公報
【特許文献６】特開２０１０−１８２２８７号公報
【特許文献７】特開２００８−０８７９４７号公報
【特許文献８】特開２００１−０５２２８８号公報
【特許文献９】特表２００６−５０７７６７号公報
【特許文献１０】特許第６２１８４１８号公報
【発明の概要】
【発明が解決しようとする課題】
【００１４】
スマホ（スマートフォン）を使える場所が増えている。空港や飛行機の中でも使うことが可能になっている。
一方、飛行機に搭乗する際に預けた荷物を目的地の空港で再び手元に取り戻す際には、ロータリーコンベヤに載せられた多数の荷物の中から、自分の荷物を探す作業が必要になる。
本発明の発明者は、旅行かばんに比較的簡単な電子回路を備えたタグを設けて、電子機器旅行者が持ち歩くスマホと、協働するスマホアプリ（スマートフォンのアプリケーションプログラム）を開発することで、適切な旅行かばん管理ができるのではないかと考えた。
本発明は、スマホと、タグとを協働させて旅行かばんを探索可能なシステムを提供することを目的とする。
【課題を解決するための手段】
【００１５】
旅行者が携帯するスマートフォンと、当該スマートフォンのアプリケーションプログラムが前記スマートフォンにインストールされて実行可能な状態において実現するアプリ機能部と、旅行かばんに取り付けるタグとからなる旅行かばん探索システムであって、
前記スマートフォンは、
前記アプリ機能部が処理する処理内容を表示する表示装置と、
前記アプリ機能部が、操作者に対して選択を求め、又は入力を求める際に、それに答えて操作者が入力することを実現する入力装置と、
前記タグとの間で１対１の通信を実現する第一の通信装置と、
前記タグとの間で、前記第一の通信装置に比べて短い距離における１対１の通信を実現する第二の通信装置と、
前記アプリ機能部の機能にしたがって、アラーム音又は振動を発する出力装置と
を有し、
前記アプリ機能部は、
前記タグとの間で前記第一の通信装置による１対１の無線通信の接続を確認する第一の接続確認装置と、
前記タグとの間で前記第二の通信装置による１対１の無線通信の接続を確認する第二の接続確認装置と、
前記第二の接続確認装置により、前記タグとの間でやりとりする電波の強さを監視して、所定の強さより弱くなったら警報を発する置き引き防止装置と、
を有し、
前記タグは、
前記スマートフォンの前記第一の通信装置との間で１対１の無線通信を実現する第一の通信部と、
前記スマートフォンの前記第二の通信装置との間で１対１の無線通信を実現する第二の通信部と、
光を発する発光部と、
前記発光部が発光する光を導き、所定のパターンを光らせる導光板と、
前記通信部及び発光部を制御する制御部と、
各部に電力を供給する電源部と
を有し、
前記制御部は、
前記スマートフォンの第一の通信装置と前記タグの第一の通信部との間で１対１の無線通信を実現し、前記スマートフォンの第二の通信装置と前記タグの第二の通信部との間で１対１の無線通信を実現する通信確立モードと、
前記第一の通信部と、前記第二の通信部との双方ともがやり取りしなくなった際に、前記第一の通信部のみ、まばらな時間間隔で電波を出し続けるスリープモードと、
前記タグの前記第一の通信部が前記スマートフォンの前記第一の通信装置との通信を再開し始める際に、当該電波の強さにしたがって調整した頻度で前記発光部を光らせるとともに、前記タグの前記第二の通信部からの電波を出し始め、前記タグの前記第二の通信部が前記スマートフォンの前記第二の通信装置との通信を再開し始める際に、その電波の強さに従って調整した頻度で前記発光部を光らせるウェイクアップモードと
をそれぞれ制御することを特徴とする。
これにより、置き引き防止と、預けた荷物をピックアップする探索とのいずれにも役立つタグを提供可能である。
【００１６】
前記タグの前記導光板は、アクリル板の表面に特定の模様の形状にカッティングされたフィルムを貼ったものであることを特徴とする。
これにより、発光する光を特定の模様にし、それにより旅行者が探索するのを容易にする。
前記フィルムをカッティングする特定の模様は、前記タグの所有者を識別する標識として機能するものであることを特徴とする。
これにより、旅行者が探索するのを容易にする。
【００１７】
前記フィルムは、光を導く塗料を所定のパターンにより塗ったものであることを特徴とする。
これにより、アクリル板そのものを加工することが不要となり、簡単な作業で旅行者識別標識の製作が可能となる。
【００１８】
前記タグの前記導光板は、
アクリル板の表面と裏面の両面にそれぞれ前記フィルムを貼ったものであって、表面と裏面とをそれぞれ広告と所有者の識別標識とを表示するものである。
これにより、旅行者が、旅行かばんを探索するのを支援するとともに、広告宣伝の機能を持たせることができる。
【００１９】
前記タグの電源部に電源をオン、オフするためのスイッチは、施錠され、前記旅行者以外の第三者は、容易には前記タグの電源を操作できないことを特徴とする。
これにより、旅行者自身の意図に反して、タグが機能しなくなることを防止できる。
【００２０】
旅行者が携帯するスマートフォンと、当該スマートフォンのアプリケーションプログラムが前記スマートフォンにインストールされて実行可能な状態において実現するアプリ機能部と、旅行かばんに取り付けるタグとからなる旅行かばん探索システムであって、
前記スマートフォンは、
前記アプリ機能部が処理する処理内容を表示する表示装置と、
前記アプリ機能部が、操作者に対して選択を求め、又は入力を求める際に、それに答えて操作者が入力することを実現する入力装置と、
前記タグとの間で１対１の通信を実現する通信装置と、
前記アプリ機能部の機能にしたがって、アラーム音又は振動を発する出力装置と
を有し、
前記アプリ機能部は、
前記タグとの間で前記通信装置による１対１の無線通信の接続を確認する接続確認装置と、
前記接続確認装置により、前記タグとの間でやりとりする電波の強さを監視して、所定の強さより弱くなったら警報を発する置き引き防止装置と、
を有し、
前記タグは、
前記スマートフォンの前記通信装置との間で１対１の無線通信を実現する通信部と、
光を発する発光部と、
前記発光部が発光する光を導き、所定のパターンを光らせる導光板又は光る繊維と、
前記通信部及び発光部を制御する制御部と、
各部に電力を供給する電源部と
を有し、
前記制御部は、
前記スマートフォンの通信装置と前記タグの通信部との間で１対１の無線通信を実現する通信確立モードと、
前記通信部がやり取りしなくなった際に、まばらな時間間隔で電波を出し続けるスリープモードと、
前記タグの前記通信部が前記スマートフォンの前記通信装置との通信を再開し始める際に、当該電波の強さにしたがって調整した頻度で前記発光部を光らせるウェイクアップモードと
をそれぞれ制御し、前記通信確立モードから前記スリープモードへの移行のための通信断絶の判断は、前記スマホからの情報や指示を受けることなく、前記タグの前記制御部が判断するものであることを特徴とする。
これにより、、置き引き防止と、預けた荷物をピックアップする探索とのいずれにも役立つタグを提供可能である。
【発明の効果】
【００２１】
本発明は、上述の構成を有するので、旅行者が必要なアプリケーションプログラムをインストールして、そのアプリを用いてスマホを操作することにより、置き引き防止と、預けた荷物をピックアップする探索とのいずれにも役立つタグを提供できる。
【図面の簡単な説明】
【００２２】
【図１】旅行かばん探索システムの構成を示すブロック図である。
【図２】スマホアプリの処理の遷移を説明する図である。
【図３】タグのコントローラの処理の遷移図である。
【図４】接続確認（通信確立）のフロー図である。図４(a)は、スマートフォン側の処理を示す。図４(b)は、タグ側の制御処理を示す。
【図５】置き引き防止処理のフロー図である。図５(a)は、スマートフォン側の処理を示す。図５(b)はタグ側の制御処理を示す。
【図６】荷物を預ける際の処理のフロー図を示す。図６(a)は、スマートフォン側の処理を示す。図６（b)は、タグ側の制御処理を示す。
【図７】スマートフォン側の探索処理のフロー図である。
【図８】タグ側のウェイクアップモードの制御処理を示す。
【図９】タグの実施例を示す斜視図である。図９(a)は、タグの外観を示す。図９(b)は、タグの内部を示す。
【発明を実施するための形態】
【００２３】
以下、添付図面を参照しながら、本発明のシステムを実現するための最良の形態を詳細に説明する。
図１は、旅行かばん探索システムの構成を示すブロック図である。
本発明にかかる旅行かばん探索システムは、スマートフォン１０とタグ４０とにより構成される。スマートフォン１０は、電話機能とタブレットコンピュータ機能とを兼ね備えた端末機器である。
スマートフォン１０のかわりにタブレットコンピュータを用いてもよい。また、１対１の無線通信機能を有するノートパソコンを替わりに用いることもできる。
【００２４】
スマートフォン１０は、ＣＰＵ（セントラルプロセッシングユニット）、メモリなどを備えて、コンピュータとして機能する機器であり、少なくとも表示装置１１、入力装置１２、音声出力装置１４、第一の通信装置１５、第二の通信装置１６を有する。表示装置１１は、たとえば液晶画面をもち、上述のＣＰＵの処理内容を表示する装置である。入力装置１２は、たとえば表示装置１１の画面上に貼られたタッチパネルでありポインティングデバイスとして機能する。音声出力装置１４は、たとえばスピーカである。
第一の通信装置１５は、タグ４０の第一の通信部４１との間で１対１通信を行う装置である。たとえばＷｉーＦｉ（ワイファイ：登録商標）機能を有する通信装置である。ちなみに、スマートフォンのＯＳの一つであるアンドロイド（登録商標）では、アンドロイド４．０以降において、Ｗｉ-Ｆｉダイレクトという１対１通信（ピアトゥピア通信）が用意されており、それを利用することができる。
第二の通信装置１６は、タグ４０の第二の通信部４２との間で１対１通信（ピアトゥピア通信）を行う装置である。たとえば、ブルートゥース（登録商標）機能を実現する通信装置である。第二の通信装置１６が用いる通信方式は、第一の通信装置１５が用いる通信方式に比べて短距離の通信方式である。
【００２５】
スマートフォン１０は、ＣＰＵ、メモリを備えるコンピュータであるので、さまざまなアプリケーションプログラムをインストールし、必要なときにそれらのアプリのうちの一つ又はいくつかをＣＰＵが読み込んで機能を実現する。アプリ機能部２０は、アプリケーションプログラムを読み込んだＣＰＵがそれぞれの機能を実現することを示している。
ＣＰＵは、中央処理装置と呼ばれることもあるように、装置であるので、アプリケーションプログラムを読み込んで機能を実現する状態のＣＰＵは、それぞれの機能を実現する装置である。その意味において、アプリ機能部２０は、置き引き防止装置２２、第一の接続確認装置２３、第二の接続確認装置２４を有する。
【００２６】
置き引き防止装置２２は、タグ４０をつけた旅行かばんが、持ち主のもとから、持ち主の意に反して持ち去られないように、タグ４０がスマートフォン１０との間でやりとりする電波が所定値よりも弱くなったら警報を発する装置である。
第一の接続確認装置２３、第二の接続確認装置２４は、スマートフォン１０とタグ４０との１対１の無線通信の接続を確立し、接続している際には、その接続情報（たとえば電波の強さ）を確認する装置である。
【００２７】
タグ４０は、スマートフォン１０との間で、１対１（ピアトゥピア）の無線通信で情報をやり取り可能なものである。
タグ４０には、スマートフォン１０との間で１対１の無線通信を実現する第一の通信部４１、第二の通信部４２、ＬＥＤなどにより光を発する発光部４７、発光部で発した光を導く導光板４８、各部に電源を供給する電源部４５、電源供給のオンオフを切り替えるスイッチ４６、各部を制御する制御部４４が設けられる。
【００２８】
第一の通信部４１は、たとえばＷｉ−Ｆｉ（登録商標）通信を実現する機器である。
従来からある無線ＬＡＮの通信方式にアドホックモードという１対１通信を行うモードが存在している。そのアドホックモードを用いる通信で構わない。
また、スマートフォン１０が、たとえばアンドロイドスマホであって、アンドロイドＯＳのバージョンが4,0であれば、ワイファイダイレクト（ＷｉＦｉＤｉｒｅｃｔ）と呼ばれる通信方式で、Ｐ２Ｐ（ピアトゥピア）通信すなわち１対１通信が可能である。このとき、スマートフォンがワイファイダイレクトに対応していればよい。タグ４０の通信部４１が、ワイファイダイレクトの規格に対応していなくとも、スマートフォン側の機能によって１対１の通信を確立することができる。
【００２９】
第二の通信部４２は、たとえばブルートゥースの通信を実現する機器である。第一の通信部の通信よりも短い距離に適した通信方式が用いられる。
【００３０】
発光部４７は、たとえばＬＥＤにより構成される。タグ４０が、スリープモードの間は、発光部４７は、光らない。スリープモードでは、第二の通信部４２は、電波を発信しないが、第一の通信部のみがきわめてまばらな時間間隔で、電波を発信し続ける。
タグ４０の側の第一の通信部４１と、スマートフォン１０の第一の通信装置１５との通信が復帰されると、スリープモードが解除されてウェイクアップモードとなる。
ウェイクアップモードとなったばかりのときには、発光部４７は、間欠的に、すなわち緩やかなサイクルで点滅する。点滅のサイクルが長い状態である。
第一の通信部４１の通信状況（電波の強さ）に応じて、発光部４７の発光の具合を変える。たとえば、電波が強くなるに従って、点滅のサイクルを短くする。
また、第一の通信部４１と第一の通信装置１５との間での通信が復帰されたら、第二の通信部４２と第二の通信装置１６との間の通信の再開を試みる。すなわち第二の通信部４２から電波を発信し始める。この電波の発信は、最初はまばらに行って、通信の再開が実現したら、通常のやり取りとすることができる。
第二の通信部４２と第二の通信装置１６との間の通信が再開したら、その電波の強さに応じて、発光部４７の発光の具合（点滅のサイクル）を変更するようにする。
【００３１】
導光板４８は、発光部４７が発した光を外に導き、旅行者の目に付きやすいようにする。たとえば、アクリル板の表面にフィルムを貼ったもので構成できる。このフィルムは、株式会社イ・ジ・ユが販売するイージーフリーシート（EZ Free Sheet）を用いることができる。EZ FREE SHEETは3年かけて約700回以上の実験の末に誕生したサイン分野の独歩的な技術として、EZ FREE SHEETだけで希望するサイン広告表現を低コストで施工を可能にしている。EZ FREE SHEETの重要技術力は既存業界で使用している導光板（LIGHT GUIDE PLATE）の製造方法であるLASER、V-CUT、印刷方式の不要なプロセスが要らず、SHEETだけで広告イメージの革新、エネルギの節減、施工の経済性を追求した。
イージーフリーシートは、微細な点状の塗料を所定のパターンに従って至る所に設けたものであり、アクリル板を通る光を当該塗料により適切に屈折又は回折させてアクリル板の外側に導くものである。
このイージーフリーシートをカッティングして所望の模様を形成するようにして、アクリル板に貼り付ける。アクリル板の側面からは発光部４７（ＬＥＤ）の光を照射する。
【００３２】
イージーフリーシートは、つぎのような性質をもつものである。
導光板（LGP：LIGHT GUIDE PLATE）の大きさにとらわれずアクリルと反射フィルムの黒化現象を根本的に解決できる。
既存のアクリル導光板より導光板の製作が簡単で大型化及び大量生産が可能である。（ライトパネルの大型化に貢献）
アクリル板、そのものを加工する既存の導光板とは異なり、反射シートに特殊なパターンを光学接着技術を取り入れたフィルムを使用した。
１．V-Cutting NO!（フィルムを平面的にカットする。したがってアクリル板の立体的加工は不要である）
２．高効率発光シート
３．応用分野無制限
４．光学技術特殊パターン設計
５．照度、輝度UP！
という特徴を有する。
このシートを用いれば、たとえば旅行者の名前をかたちどったフィルムをアクリルに貼って導光板とすることができるので、旅行者が人のバックと取り違えるリスクを減らすことができる。
このシートを用いて、旅行かばんにつけるタグをつくることができる。そのタグの大きさは、既存の旅行かばんにつけるタグの大きさにとどまることなく、自由に設計可能である。
【００３３】
電源部４５は、たとえばコイン型の電池を用いることができる。コイン型の電池は、従来からさまざまな電子機器に電源を供給する電池として用いられている。たとえば、パソコンのマザーボード上に、時刻やバイオスの設定情報を記憶するために用いられている。
コイン型の電池をタグ４０の電源として用いた場合、数回の旅行、または半年ほどの使用に耐えることができるものと考えられる。
コイン型の電池が消耗した際には、タグ４０の蓋を開けて交換する。又は充電できる電池を用いて充電するようにしてもよい。パソコンのＵＳＢ端子からの充電、またはワイヤレス給電システムによる充電が考えられる。
【００３４】
スイッチ４６は、電源部４５からタグ４０の各部への電源供給のオンオフを切り替えるスイッチである。旅行者が旅行を終えて自宅にいる際には、タグ４０の電源を切って、電源部４５の電池の消耗を防ぐ。したがって、旅行者自身のためには、このスイッチがあることが望ましい。
一方、この旅行かばんを盗もうとする第三者が簡単にこのスイッチを操作できるようでは、受け取る直前に、第三者によりタグのスイッチを切られることにより、旅行かばんを盗まれてしまう可能性がある。そして、旅行者本人の手元に復帰する可能性が低くなる。そこで、このスイッチのオンオフが簡単にはできないように、施錠して、スイッチの操作は解錠した状態でのみ可能とすることが望ましい。
【００３５】
制御部４４は、第一の通信部４１、第二の通信部４２、発光部４７とつながり、それらをコントロールするコントローラである。いわゆるマイコン（マイクロコントローラ）を用いることができる。また、プログラマブルデジタルデバイスと呼ばれるものを用いてもよい。簡単なプログラムを実行できるデジタル回路であればよい。
プロセッサを用いることも可能であるが、マイコンやプログラマブルデジタルデバイスを用いることで比較的安価にこのタグ４０を構成可能である。
【００３６】
図２は、スマートフォン１０におけるスマホアプリの処理の遷移を説明する図である。
スマートフォン１０では、図２に示す７つのプロセスが、タグ４０との関係において考えられる。
プロセス１は、接続確認のプロセスであり、スマートフォン１０が、タグ４０との間で二つの、１対１の無線通信による接続を確立し、その接続情報（相手の端末番号、電波の強さなど）を取得し、保存する。
プロセス２は、メニュー処理のプロセスであり、スマートフォン１０を操作する旅行者が置き引き防止の機能を用いたいのか、これから旅行かばんを預けようとするのかを選択させて次のプロセスに移行するためのメニューである。
プロセス３は、置き引き防止のプロセスであり、旅行者の近くに旅行かばんが置かれていて、スマートフォン１０とタグ４０との間で１対１の無線通信（第二の通信装置と第二の通信部との間の通信：ブルートゥース）が確立していることを前提とし、その電波の強さを監視して、所定値よりも弱くなったら警報を発するものである。プロセス３において、置き引きがなされずに無事に荷物を預ける際には、プロセス３からプロセス２に戻り、プロセス５の「預ける」に遷移する。一方、万一の置き引きが発生した際には、警報を発するだけでなく、旅行かばんを探索すべくプロセス６に遷移する。
プロセス５は、荷物を預けるプロセスであり、スマートフォン１０では、探索開始がいつでも行えるように必要な情報を保存する処理を実行する。このとき、タグ４０は、第一の通信部による電波の発信のみをまばらに行い続ける。第二の通信部による発信はやめる。
プロセス６は、スマートフォン１０が旅行かばん（タグ４０）を探索するプロセスである。旅行者は、旅行かばんそのものの外観及びタグ４０の導光板が光るのを肉眼で探しつつ、スマートフォン１０がタグ４０との間で通信を復活させるのを待つ。第一の通信装置と第一の通信部との間の通信が先に復活し、第二の通信装置と第二の通信部との間の通信が後で復活する。通信が復活した後は、タグ４０が発光することをたよりに旅行者は旅行かばんの探索をする。旅行かばんが持ち主の手元に戻ると、旅行者は、メニュー画面から置き引き防止を選択すると、プロセス３に遷移する。この時、スマートフォンからタグへ、発光を停止する命令を出すことにより、タグは、発光を停止する。旅行者は、このとき、タグのスイッチを切って、発光を止めてもよい。
プロセス７は、スマートフォンの電源断のプロセスである。
プロセス８は、スマートフォンの電源再投入のプロセスである。旅行かばんを預けてから目的地で旅行かばんを受け取るまでの時間は、比較的長時間であるので、スマートフォンの電源を切って電池の消耗を防ぐことが考えられる。そこで、プロセス５とプロセス６との間に、電源断と電源再投入とを入れる。スマートフォンは、メモリを有しており、タグ４０との間の接続情報（相手の端末番号、通信方式など）を記憶しており、それは電源断により失われることはない。
プロセス１からはプロセス２へ遷移する。プロセス２からはプロセス３又はプロセス５へ遷移する。プロセス３からはプロセス２へ遷移する。プロセス５からはプロセス６又はプロセス７へ遷移する。プロセス７からはプロセス８へ遷移する。プロセス８からはプロセス６へ遷移する。プロセス６からはプロセス２へ遷移する。
【００３７】
図３は、タグ４０のコントローラ（制御部４４）の処理の遷移図である。
タグプロセス１は、通信確立のプロセスである。タグ４０の第一の通信部４１、第二の通信部４２からは、電波を出す。スマートフォン１０との間の１対１の無線通信の確立は、スマートフォン１０側が主導して実行する。
タグプロセス２は、第二の通信のみを続けるプロセスである。スマートフォン側がメニュー処理のプロセスをするのに対応して、タグ４０側では、スマートフォンからの指示（例えば、消灯指示）を待ち、それに従う。
タグプロセス５は、スリープのプロセスである。タグプロセス２で、通信が断絶されると、タグプロセス５に遷移する。スリープモードでは、タグ４０は、第一の通信をまばらに実施する。それ以外の処理は、行わずに電力の消耗を避ける。
タグプロセス６は、ウェイクアップ処理のプロセスである。まばらに行っていた第一の通信が再開すると、ウェイクアップ（モード）に遷移する。ウェイクアップモードでは、第一の通信を通常の時間間隔で、やり取りする。タグ４０は、スマートフォン１０との間で第二の通信による１対１の無線通信を復活すべく電波を出す。また、旅行者に発見されやすいように、光を発する。発光は、点滅させる。そして、その点滅のサイクルは、電波の強さに応じたものとする。電波が強いほど、点滅のサイクルを短くする。
タグプロセス１からはタグプロセス２へ遷移する。タグプロセス２からはタグプロセス５へ遷移する。タグプロセス５からはタグプロセス６へ遷移する。タグプロセス６からはタグプロセス２へ遷移する。
タグプロセス６からタグプロセス２へと遷移する際には、タグ４０は、スマートフォン側からの指示（メニュー選択で置き引き防止）があれば、発光を停止する。
【００３８】
図４は、１対１の無線通信を確立する処理のフロー図である。
図４(a)は、スマートフォン側の処理を示す。
スマートフォン側では、タグを検索し（ステップ４０１）、検索の結果、見つかったタグ(の端末番号）をリスト表示する（ステップ４０２）。近くにほかの旅行者がいる場合など、複数のタグが見つかる可能性がある。
リストの中からどれがこの旅行者の所有するタグであるかを旅行者に選択してもらうように促す（ステップ４０３）。
旅行者が選んだ結果、コード入力が必要となるので、その入力を旅行者に促す（ステップ４０４）。
図４(b)は、タグ側の制御処理を示す。
タグ４０に電源を投入すると（ステップ４５１）、当該タグ４０に付された機器情報（端末情報）をスマートフォン側に送る（ステップ４５２）。
スマートフォン側がタグ４０を選択したことをスマートフォンから送られてくる情報によって確認する（ステップ４５３）。
１対１の通信を確立するのに必要なコード入力を要求する（ステップ４５４）。
スマートフォン側から正しいコードが入力されたことを確認して接続を確立する（ステップ４５５）。
以上の処理を、第一の通信（第一の通信装置と第一の通信部との間の通信）と、第二の通信（第二の通信装置と第二の通信部との間の通信）とについて、それぞれ行い、無線通信を確立する。
【００３９】
図５は、置き引き防止処理のフロー図である。
図５(a)は、スマートフォン側の処理を示す。
電波の強さを取得し（ステップ５０１）、所定値より下か否かを判断する（ステップ５０２）。所定値より下ならば（ステップ５０２でＹｅｓ）、警報を発する（ステップ５０３）。所定値より下でないなら、電波の強さの監視を続ける（ステップ５０２でＮｏ）。
ここで、所定値より下かを判断する上で、電波の強さを絶対値にする代わりに、当初の電波の強さの５０パーセントを所定値と定めるなどとしてもよい。
また、警報を発するには、スマホのスピーカから音を出すことや、スマホの表示画面にアラーム画面（たとえば、けばけばしいデザインの画面）を表示することが考えられる。
図５(b)はタグ側の制御処理を示す。
電波の強さを取得し（ステップ５５１）、通信断絶といえるか（所定値より下か否か）を判断する（ステップ５５２）。所定値より下ならば（ステップ５５２でＹｅｓ）、スリープモードへ遷移する（ステップ５５３）。所定値より下でないなら、電波の強さの監視を続ける（ステップ５５２でＮｏ）。
【００４０】
図６は、荷物を預ける際（又は、置き引き防止から万一に起こり得る置き引きされてしまった際）に、スリープモードに入る際の処理のフロー図を示す。
図６(a)は、スマートフォン側の処理を示す。
空港などで荷物を預ける際に、旅行者は、メニュー選択により、荷物を預けることを選択する。するとスマートフォン側のアプリ機能部は、通信情報（通信の相手の機種番号など）を保存し（ステップ６０１）、通信を断絶する（ステップ６０２）。この通信断絶は、第一通信（第一通信装置と第一通信部との間の通信）と第二通信（第二通信装置と第二通信部との間の通信）との双方を断絶する。
図６（b)は、タグ側の制御処理を示す。タグ側のコントローラは、通信断絶を確認後（ステップ６５１）、第一通信の電波のみをまばらに発信する（ステップ６５２）、そして、通信再開したら（ステップ６５３）、ウェイクアップモードへ進む（ステップ６５４）。
【００４１】
図７は、スマートフォン側の探索処理を示す。旅行者は、ロータリーコンベヤなどの近くで自分の旅行かばんが出てくるのを待つ。その際に、スマートフォンのアプリ機能部は、第一通信の情報を取得し（ステップ７０１）、第二通信の情報を取得する（ステップ７０２）。そして、電波の強さを概算距離に換算し（ステップ７０３）、画面に表示する（ステップ７０４）。旅行者は、画面に表示される情報を参考にして、旅行かばんを探す。
【００４２】
図８は、  タグ側のウェイクアップモードにおける制御処理を示す。第一通信情報を取得し（ステップ８０１）、通信が再開したか否かを判断する（ステップ８０２）。
通信が再開したら（ステップ８０２でＹＥＳ）、第一電波の強度に応じた発光を始める（ステップ８０３）。電波が強いほど、頻度の高い点滅とすることができる。
それとともに、第二通信の電波を発信する（ステップ８０３）。そして、第二通信情報を取得し（ステップ８０４）、通信が再開したら（ステップ８０５でＹＥＳ）、第二電波の強度に応じた発光を行う（ステップ８０６）。
このとき、光の出力は、電波の強さに応じて、間欠的に行うことができる。すなわち、光を点滅する際のそのサイクルの長さや、点灯と消灯との時間比率を変える、光の強さを変えるなどのバリエーションをもたせることができる。
【００４３】
≪導光板について≫
図９は、タグの実施例を示す斜視図である。
図９(a)は、タグの外観を示す。図９(a)に示すように、タグ４０は、電子回路を含む筐体と、その筐体から延びる導光板４８とからなる。導光板４８は前述したように、アクリル板とその表面に貼り付けたシートとからなる。貼り付けるシートは、前述したように株式会社イ・ジ・ユが販売するシートが好ましい。
図９(b)は、タグの内部を示す。図９(a)の筐体の蓋をはずして中が見えるようにしたものである。導光板４８を構成するアクリル板に接するように発光部４７（ＬＥＤ）が設けられる。発光部４７は、回路基板４９から延びる接続線により他の回路とつながる。回路基板４９には、、通信部４１、時計部４２、制御部４４、スイッチ４６が塔載されている。必要に応じてスピーカ４３も塔載され得る。
【００４４】
≪電波の強さから距離の概算値を表示する実施例≫
スマートフォン１０に塔載される第一の通信装置１５、第二の通信装置１６の電波の強さを含む接続状況が、アプリ機能部２０の第一の接続確認装置２３、第二の接続確認装置２４により取得できるので、表示装置１１に電波の強さを表示することが可能である。そして、二つの電波のそれぞれの強さは、スマートフォン１０からタグ４０までの概算距離に対応するので、概算距離の数値として表示することが可能である。
表示装置１１にそれが表示されると、スマートフォン１０を携帯する旅行者は、その表示装置１１に表示された概算距離を確認することにより、自分の所有する旅行かばんを探索することに役立つ。
さらに言えば、旅行者が、ある地点Ａに立ってその概算距離を得た直後に、少し移動して地点Ｂで改めて当該概算距離を得ることで、旅行かばんの位置を特定しやすくなる場合があり得る。
【００４５】
≪タグの施錠について≫
タグの電源のオンオフを行うスイッチ４６は、電池の消耗を防ぐために設けられる。したがって、旅行者が必要ならば、スイッチ４６を操作できることが望ましい。一方、旅行かばんを盗もうとする悪意ある第三者が容易にスイッチ４６をオフにできるようだと、探索システムが機能しなくなる。
そこで、オンオフのスイッチ４６をロックできるようにすることが望ましい。たとえば、４桁の数字を用いてロックし、解錠の際には当該４桁の数字を回すこと、又は入力することで解錠するようにすることが望ましい。
【００４６】
≪旅行かばんにゆわえる≫
タグ４０は、ひもなどにより旅行かばんにゆわえつけて用いることができる。
【００４７】
≪光る繊維について≫
オランダのフィリップス社が開発した光る繊維が知られている。繊維にＬＥＤを織り込んだものである。本発明の導光板の代わりに光る繊維を用いて、タグの光を発行するようにすることもできる。光る繊維は、旅行かばんの所有者がオリジナリティの高いデコレーションを施すことに用いることが可能である。
【００４８】
≪導光板のバリエーションについて≫
導光板は、本発明では、アクリル板にフィルムを貼るものとした。それ以外にも、従来からある導光板としては、アクリル板の表面にレーザ加工などにより所望の模様を設けるものを用いることができる。また、シルクスクリーン印刷方式の導光板を用いることもできる。
【００４９】
≪置き引き防止を「バス」と表示する可能性≫
本発明では、旅行かばんが旅行者の近くにあることを前提にして、離れていくことに対して警告を発することを「置き引き防止」と表現した。これを「バス」と表現することもできる。
空港へ向かうリムジンバス（大型バス）に乗る乗客は、旅行かばんをバスの床の下に設けられたトランクルーム（床下トランクルーム）に預ける。リムジンバスは、空港までの道中、いくつかの停留所に寄り、旅行客を乗せる。また、空港が大きいものであれば、第一ターミナル、第二ターミナル、第三ターミナルと旅行客が降りる場所が複数ある。
バスに乗る乗客は、床上の座席に座っているので、床下トランクルームから自分のかばんを他人が間違って持っていく可能性があるのではないかと不安になる場合がある。そこで、本発明に係る発明を利用して「置き引き防止」のモードにしておいて、自分の旅行かばんが万一、意図せぬ動きをして自分から離れていくときに警報を発して、アラーム音又は振動（バイブレーション）をもって知ることができるようにする。
その意味において、「置き引き防止」機能のことを、「バス（モード）」ととらえて、そのようにスマホ画面に表示するようにするのが、旅行者にとっては理解しやすい可能性がある。その場合、「バスモード」と「飛行機モード」、または「ＢＵＳ」、「ＡＩＲＰＬＡＮＥ」などとメニュー表示して、切り替えることができるようにする。
【００５０】
≪使用する電波について≫
本発明にあっては、Ｗｉ-Ｆｉ、ブルートゥースを前提にそれを組み合わせて用いて探索するシステムを提供することを提案した。
二つの電波を組み合わせて用いる実施例を示したが、どちらか一方のみを使ってこの発明を実施することも可能である。
また、Ｗｉ-Ｆｉ、ブルートゥースを使うだけでなく、他の電波を使うこともできる。
さらに、ＧＰＳ機能や、携帯基地局を用いた位置特定の機能を合わせて用いることも可能である。
二つの電波を組み合わせるだけでなく、三つの種類の電波を組み合わせて使う実施例も可能である。
【００５１】
≪広告媒体と識別標識≫
タグの導光板に所定の模様を施したフィルムを貼ることによって、導光板は、広告媒体となり得る。また、人の氏名や、その人のオリジナルの模様やマークを表示させることで式別標識として機能させることができる。導光板の表と裏とを別々のフィルムを貼ることで、表は広告、裏は識別標識とすることもできる。
したがって、旅行代理店、ツアー企画会社などが、広告をすることと、一人一人の旅行者の識別をすることとを兼ね備えたタグとすることができる。
【産業上の利用可能性】
【００５２】
飛行機を用いる旅行や、バスを用いる旅行など乗り物に荷物を預ける旅行を企画する旅行代理店や、グループツアー企画会社が、旅行者に対して配布するタグとして利用可能である。
【符号の説明】
【００５３】
１０  スマートフォン
１１  表示装置
１２  入力装置
１４  音声出力装置
１５  第一の通信装置
１６  第二の通信装置
２０  アプリ機能部
２２  置き引き防止装置
２３  第一の接続確認装置
２４  第二の接続確認装置
４０  タグ
４１  第一の通信部
４２  第二の通信部
４４  制御部
４５  電源部
４６  スイッチ
４７  発光部
４８  導光板
４９  回路基板
５１  通信確立モード
５２  置き引き防止モード
５４  スリープモード
５５  ウェイクアップモード
【図１】
2020086604.tif 000003
【図２】
2020086604.tif 000004
【図３】
2020086604.tif 000005
【図４】
2020086604.tif 000006
【図５】
2020086604.tif 000007
【図６】
2020086604.tif 000008
【図７】
2020086604.tif 000009
【図８】
2020086604.tif 000010
【図９】
2020086604.tif 000011
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
旅行者が携帯するスマートフォンと、当該スマートフォンのアプリケーションプログラムが前記スマートフォンにインストールされて実行可能な状態において実現するアプリ機能部と、旅行かばんに取り付けるタグとからなる旅行かばん探索システムであって、
前記スマートフォンは、
前記アプリ機能部が処理する処理内容を表示する表示装置と、
前記アプリ機能部が、操作者に対して選択を求め、又は入力を求める際に、それに答えて操作者が入力することを実現する入力装置と、
前記タグとの間で１対１の通信を実現する第一の通信装置と、
前記タグとの間で、前記第一の通信装置に比べて短い距離における１対１の通信を実現する第二の通信装置と、
前記アプリ機能部の機能にしたがって、アラーム音又は振動を発する出力装置と
を有し、
前記アプリ機能部は、
前記タグとの間で前記第一の通信装置による１対１の無線通信の接続を確認する第一の接続確認装置と、
前記タグとの間で前記第二の通信装置による１対１の無線通信の接続を確認する第二の接続確認装置と、
前記第二の接続確認装置により、前記タグとの間でやりとりする電波の強さを監視して、所定の強さより弱くなったら警報を発する置き引き防止装置と、
を有し、
前記タグは、
前記スマートフォンの前記第一の通信装置との間で１対１の無線通信を実現する第一の通信部と、
前記スマートフォンの前記第二の通信装置との間で１対１の無線通信を実現する第二の通信部と、
光を発する発光部と、
前記発光部が発光する光を導き、所定のパターンを光らせる導光板又は光る繊維と、
前記通信部及び発光部を制御する制御部と、
各部に電力を供給する電源部と
を有し、
前記制御部は、
前記スマートフォンの第一の通信装置と前記タグの第一の通信部との間で１対１の無線通信を実現し、前記スマートフォンの第二の通信装置と前記タグの第二の通信部との間で１対１の無線通信を実現する通信確立モードと、
前記第一の通信部と、前記第二の通信部との双方ともがやり取りしなくなった際に、前記第一の通信部のみ、まばらな時間間隔で電波を出し続けるスリープモードと、
前記タグの前記第一の通信部が前記スマートフォンの前記第一の通信装置との通信を再開し始める際に、当該電波の強さにしたがって調整した頻度で前記発光部を光らせるとともに、前記タグの前記第二の通信部からの電波を出し始め、前記タグの前記第二の通信部が前記スマートフォンの前記第二の通信装置との通信を再開し始める際に、その電波の強さに従って調整した頻度で前記発光部を光らせるウェイクアップモードと
をそれぞれ制御することを特徴とする旅行かばん探索システム。
【請求項２】
前記タグの前記導光板は、アクリル板の表面に特定の模様の形状にカッティングされたフィルムを貼ったものであることを特徴とする請求項１に記載の旅行かばん探索システム。
【請求項３】
前記フィルムをカッティングする特定の模様は、前記タグの所有者を識別する標識として機能するものであることを特徴とする請求項２に記載の旅行かばん探索システム。
【請求項４】
前記フィルムは、光を導く塗料を所定のパターンにより塗ったものであることを特徴とする請求項２又は請求項３に記載する旅行かばん探索システム。
【請求項５】
前記タグの前記導光板は、
アクリル板の表面と裏面の両面にそれぞれ前記フィルムを貼ったものであって、表面と裏面とをそれぞれ広告と所有者の識別標識とを表示するものであることを特徴とする請求項２から請求項４までのいずれか１項に記載した旅行かばん探索システム。
【請求項６】
前記タグの電源部に電源をオン、オフするためのスイッチは、施錠され、前記旅行者以外の第三者は、容易には前記タグの電源を操作できないことを特徴とする請求項１から請求項５までのいずれか１項に記載した旅行かばん探索システム。